(57)【要約】【課題】移動端末の試験結果を表す試験結果データが２つのドメインで表される場合に、各ドメインにおける試験結果データの変化をユーザに認識させやすくすることができる移動端末試験装置及び移動端末試験方法を提供すること。【解決手段】移動端末の試験の結果を表す試験結果データを第１ドメイン及び第２ドメインの３次元のグラフで表す３次元表示画面４０、試験結果データを第１ドメインのグラフで表す第１表示画面４１、及び、試験結果データを第２ドメインのグラフで表す第２表示画面４２を表示装置に表示させる。【選択図】図３
2016116114.tif 000002
【特許請求の範囲】
【請求項１】
移動端末（２）の試験を実行するための試験情報に基づいて前記移動端末の試験を実行する試験実行部（１１）と、
前記試験実行部によって実行される試験の結果を表す試験結果データを第１ドメイン及び第２ドメインの３次元のグラフで表す３次元表示画面（４０）、前記試験結果データを前記第１ドメインのグラフで表す第１表示画面（４１）、及び、前記試験結果データを第２ドメインのグラフで表す第２表示画面（４２）を表示装置（２１）に表示させる表示制御部（２４）と、
前記第１ドメイン上の位置を特定する第１マーカ（４６）を設定するとともに、前記第２ドメイン上の位置を特定する第２マーカ（４７）を設定するマーカ設定部（３０）と、を備え、
前記表示制御部は、
前記第１表示画面には、前記第２マーカによって特定された位置に対応する前記試験結果データのグラフを前記第１ドメインで表示させ、
前記第２表示画面には、前記第１マーカによって特定された位置に対応する前記試験結果データのグラフを前記第２ドメインで表示させる移動端末試験装置。
【請求項２】
前記第１ドメインの範囲を設定する１次元範囲設定部（３１）を更に備え、
前記表示制御部は、前記１次元範囲設定部によって設定された範囲に対応する前記試験結果データの前記第１ドメインにおける統計データのグラフを前記第２表示画面に更に表示させる請求項１に記載の移動端末試験装置。
【請求項３】
前記試験結果データの特徴点を検出する特徴点検出部（３２）を更に備え、
前記マーカ設定部は、前記特徴点検出部によって検出された特徴点に対応する位置に前記第１マーカ及び前記第２マーカを設定する請求項１又は請求項２に記載の移動端末試験装置。
【請求項４】
前記第１ドメインの範囲及び前記第２ドメインの範囲を設定させる２次元範囲設定部（３３）を更に備え、
前記特徴点検出部は、前記２次元範囲設定部によって設定された範囲のなかで前記特徴点を検出する請求項３に記載の移動端末試験装置。
【請求項５】
前記第２ドメインは、時間ドメインである請求項１ないし請求項４のいずれか１つの請求項に記載の移動端末試験装置。
【請求項６】
移動端末試験装置によって、移動端末（２）の試験を実行するための試験情報に基づいて前記移動端末の試験を実行する移動端末試験方法であって、
前記移動端末の試験の結果を表す試験結果データを第１ドメイン及び第２ドメインの３次元のグラフで表す３次元表示画面（４０）、前記試験結果データを前記第１ドメインのグラフで表す第１表示画面（４１）、及び、前記試験結果データを第２ドメインのグラフで表す第２表示画面（４２）を表示装置（２１）に表示させる表示制御ステップと、
前記第１ドメイン上の位置を特定する第１マーカ（４６）を設定するとともに、前記第２ドメイン上の位置を特定する第２マーカ（４７）を設定するマーカ設定ステップと、を有し、
前記表示制御ステップでは、
前記第１表示画面には、前記第２マーカによって特定された位置に対応する前記試験結果データのグラフを前記第１ドメインで表示させ、
前記第２表示画面には、前記第１マーカによって特定された位置に対応する前記試験結果データのグラフを前記第２ドメインで表示させる移動端末試験方法。
【発明の詳細な説明】
【技術分野】
【０００１】
本発明は、移動端末の試験を行う移動端末試験装置及び移動端末試験方法に関する。
【背景技術】
【０００２】
従来、特許文献１のように、移動端末の試験結果を表す試験結果データを２次元のグラフで表示させる技術が提案されている。
【先行技術文献】
【特許文献】
【０００３】
【特許文献１】特開２０１２−１８１９５号公報
【発明の概要】
【発明が解決しようとする課題】
【０００４】
しかしながら、このような従来の技術は、移動端末の試験結果を表す試験結果データを周波数ドメインの２次元のグラフで表示しているため、試験結果データの時間ドメインの変化をユーザに認識させることが困難であった。
【０００５】
このように、従来の技術は、移動端末の試験結果を表す試験結果データが２つのドメインで表される場合に、各ドメインにおける試験結果データの変化をユーザに認識させ難いといった課題があった。
【０００６】
本発明は、このような課題を解決するためになされたもので、移動端末の試験結果を表す試験結果データが２つのドメインで表される場合に、各ドメインにおける試験結果データの変化をユーザに認識させやすくすることができる移動端末試験装置及び移動端末試験方法を提供することを目的とする。
【課題を解決するための手段】
【０００７】
本発明の移動端末試験装置は、移動端末（２）の試験を実行するための試験情報に基づいて前記移動端末の試験を実行する試験実行部（１１）と、前記試験実行部によって実行される試験の結果を表す試験結果データを第１ドメイン及び第２ドメインの３次元のグラフで表す３次元表示画面（４０）、前記試験結果データを前記第１ドメインのグラフで表す第１表示画面（４１）、及び、前記試験結果データを第２ドメインのグラフで表す第２表示画面（４２）を表示装置（２１）に表示させる表示制御部（２４）と、前記第１ドメイン上の位置を特定する第１マーカ（４６）及び前記第２ドメイン上の位置を特定する第２マーカ（４７）を設定するマーカ設定部（３０）と、を備え、前記表示制御部は、前記第１表示画面には、前記第２マーカによって特定された位置に対応する前記試験結果データのグラフを前記第１ドメインで表示させ、前記第２表示画面には、前記第１マーカによって特定された位置に対応する前記試験結果データのグラフを前記第２ドメインで表示させる構成を有している。
【０００８】
この構成により、本発明の移動端末試験装置は、移動端末の試験の結果を表す試験結果データを第１ドメイン及び第２ドメインの３次元のグラフで表す３次元表示画面、試験結果データを第１ドメインのグラフで表す第１表示画面、及び、試験結果データを第２ドメインのグラフで表す第２表示画面を表示装置に表示させる。
【０００９】
さらに、本発明の移動端末試験装置は、第１表示画面には、第２マーカによって特定された位置に対応する試験結果データのグラフを第１ドメインで表示させ、第２表示画面には、第１マーカによって特定された位置に対応する試験結果データのグラフを第２ドメインで表示させる。
【００１０】
したがって、本発明の移動端末試験装置は、移動端末の試験結果を表す試験結果データが２つのドメインで表される場合に、各ドメインにおける試験結果データの変化をユーザに認識させやすくすることができる。
【００１１】
なお、本発明の移動端末試験装置は、前記第１ドメインの範囲を設定する１次元範囲設定部（３１）を更に備え、前記表示制御部は、前記１次元範囲設定部によって設定された範囲（５０）に対応する前記試験結果データの前記第１ドメインにおける統計データのグラフを前記第２表示画面に更に表示させるようにしてもよい。
【００１２】
この構成により、本発明の移動端末試験装置は、第１ドメインの範囲を設定し、設定した範囲に対応する試験結果データの第１ドメインにおける統計データのグラフを第２表示画面に更に表示させるため、第１ドメインの設定範囲における第２ドメインの統計的な特性をユーザ認識させることができる。
【００１３】
また、本発明の移動端末試験装置は、前記試験結果データの特徴点を検出する特徴点検出部（３２）を更に備え、前記マーカ設定部は、前記特徴点検出部によって検出された特徴点に対応する位置に前記第１マーカ及び前記第２マーカを設定するようにしてもよい。
【００１４】
この構成により、本発明の移動端末試験装置は、試験結果データの特徴点を検出し、検出した特徴点に対応する位置に第１マーカ及び第２マーカを設定するため、第１ドメイン及び第２ドメインの表示位置を連動させながら試験結果データにおけるピークなどの特徴点をユーザに探索させる手間をかけさせることなく、特徴点を含むグラフを第１表示画面及び第２表示画面に表示させることができる。
【００１５】
また、本発明の移動端末試験装置は、前記第１ドメインの範囲及び前記第２ドメインの範囲を設定させる２次元範囲設定部（３３）を更に備え、前記特徴点検出部は、前記２次元範囲設定部によって設定された範囲のなかで前記特徴点を検出するようにしてもよい。
【００１６】
この構成により、本発明の移動端末試験装置は、第１ドメインの範囲及び第２ドメインの範囲を設定し、設定した範囲のなかで特徴点を検出し、検出した特徴点に対応する位置に第１マーカ及び第２マーカを設定するため、第１ドメイン及び第２ドメインの表示位置を連動させながら試験結果データにおけるピークなどの特徴点をユーザに探索させる手間をかけさせることなく、設定範囲内の特徴点を含むグラフを第１表示画面及び第２表示画面に表示させることができる。
【００１７】
また、前記第２ドメインは、時間ドメインとしてもよい。
【００１８】
この構成により、本発明の移動端末試験装置は、第２ドメインを時間ドメインとすることにより、第１ドメインにおける試験結果データの時間経過に応じた変化をユーザに認識させやすくすることができる。
【００１９】
また、本発明の移動端末試験方法は、移動端末試験装置によって、移動端末（２）の試験を実行するための試験情報に基づいて前記移動端末の試験を実行する移動端末試験方法であって、前記移動端末の試験の結果を表す試験結果データを第１ドメイン及び第２ドメインの３次元のグラフで表す３次元表示画面（４０）、前記試験結果データを前記第１ドメインのグラフで表す第１表示画面（４１）、及び、前記試験結果データを第２ドメインのグラフで表す第２表示画面（４２）を表示装置（２１）に表示させる表示制御ステップと、前記第１ドメイン上の位置を特定する第１マーカ（４６）及び前記第２ドメイン上の位置を特定する第２マーカ（４７）を設定するマーカ設定ステップと、を有し、前記表示制御ステップでは、前記第１表示画面には、前記第２マーカによって特定された位置に対応する前記試験結果データのグラフを前記第１ドメインで表示させ、前記第２表示画面には、前記第１マーカによって特定された位置に対応する前記試験結果データのグラフを前記第２ドメインで表示させる。
【００２０】
このように、本発明の移動端末試験方法は、移動端末の試験の結果を表す試験結果データを第１ドメイン及び第２ドメインの３次元のグラフで表す３次元表示画面、試験結果データを第１ドメインのグラフで表す第１表示画面、及び、試験結果データを第２ドメインのグラフで表す第２表示画面を表示装置に表示させる。
【００２１】
さらに、本発明の移動端末試験方法は、第１表示画面には、第２マーカによって特定された位置に対応する試験結果データのグラフを第１ドメインで表示させ、第２表示画面には、第１マーカによって特定された位置に対応する試験結果データのグラフを第２ドメインで表示させる。
【００２２】
したがって、本発明の移動端末試験方法は、移動端末の試験結果を表す試験結果データが２つのドメインで表される場合に、各ドメインにおける試験結果データの変化をユーザに認識させやすくすることができる。
【発明の効果】
【００２３】
本発明は、移動端末の試験結果を表す試験結果データが２つのドメインで表される場合に、各ドメインにおける試験結果データの変化をユーザに認識させやすくすることができる移動端末試験装置及び移動端末試験方法を提供することができる。
【図面の簡単な説明】
【００２４】
【図１】図１は、本発明の実施の形態に係る移動端末試験装置のブロック図である。
【図２】図２は、本発明の実施の形態に係る移動端末試験装置によって表示されるメインウインドウを示す概念図である。
【図３】図３は、本発明の実施の形態に係る移動端末試験装置によって表示されるサブウインドウを示す概念図である。
【図４】図４は、図３に示すサブウインドウに対して周波数ドメインの範囲を設定した状態の第１表示画面及び第２表示画面を示す概念図である。
【図５】図５は、図３に示すサブウインドウの第１表示画面及び第２表示画面を示す概念図である。
【図６】図６は、本発明の実施の形態に係る移動端末試験装置によって表示される２次元範囲設定ウインドウの概要図である。
【発明を実施するための形態】
【００２５】
以下、本発明の実施の形態について、図面を参照して説明する。
【００２６】
図１に示すように、移動端末試験装置１は、同軸ケーブル等を介して有線で移動端末２と信号を送受信するようになっている。なお、移動端末試験装置１は、アンテナを介して無線で移動端末２と信号を送受信するようにしてもよい。
【００２７】
移動端末試験装置１は、移動端末２の試験を実行するためのシナリオ及びパラメータを含む試験情報が格納された試験情報格納部１０と、試験情報格納部１０に格納された試験情報に基づいて、移動端末２の試験を実行する試験実行部１１と、試験実行部１１によって実行される試験に応じて移動端末２と通信を行う通信部１２とを含んで構成される。
【００２８】
また、移動端末試験装置１は、タッチパッドなどによって構成された入力装置２０と、液晶表示装置などによって構成された表示装置２１と、入力装置２０になされた操作を検出する操作検出部２２と、操作検出部２２によって検出された操作に応じた処理を実行する操作実行部２３と、表示装置２１を制御する表示制御部２４とを更に含んで構成される。
【００２９】
ここで、移動端末試験装置１は、移動端末２と通信を行うための通信モジュールが設けられた図示しないコンピュータ装置によって構成される。このコンピュータ装置は、それぞれ図示しないＣＰＵ（Central Processing Unit）と、ＲＯＭ（Read Only Memory）と、ＲＡＭ（Random Access Memory）と、ハードディスク装置と、入出力ポートと、タッチパネルとを有する。
【００３０】
このコンピュータ装置のＲＯＭ及びハードディスク装置には、コンピュータ装置を移動端末試験装置１として機能させるためのプログラムが格納されている。すなわち、ＣＰＵがＲＡＭを作業領域としてＲＯＭに格納されたプログラムを実行することにより、当該コンピュータ装置は、移動端末試験装置１として機能する。
【００３１】
このように、本実施の形態において、試験情報格納部１０は、ＲＡＭ又はハードディスク装置によって構成され、試験実行部１１、操作検出部２２、操作実行部２３及び表示制御部２４は、ＣＰＵによって構成され、通信部１２ａないし１２ｅは、通信モジュールによってそれぞれ構成される。
【００３２】
また、入力装置２０と、表示装置２１とは、一体に、タッチパネル２５によって構成される。すなわち、表示制御部２４によって表示装置２１に表示される画像は、情報を表す他に、入力装置２０と協働して情報を入力させるためのユーザインタフェイスを構成する。
【００３３】
試験実行部１１は、試験情報格納部１０に格納された試験情報に基づいて、移動端末２に対して複数の種別の試験を行い、各試験の結果を表す試験結果データをＲＡＭ又はハードディスク装置に蓄積するようになっている。
【００３４】
表示制御部２４は、操作実行部２３によって実行される処理に応じて表示装置２１に画像を表示させるようになっている。例えば、図２に示すように、表示制御部２４は、ＲＡＭ又はハードディスク装置に蓄積された試験結果データを表すメインウインドウを表示装置２１に表示させるようになっている。
【００３５】
ここで、ＬＴＥ（Long Term Evolution）に準拠した試験の結果を表す試験結果データのうち、数値で表される試験結果データとして、送信電力（TX Power）、占有帯域幅（Occupied Bandwidth、ＯＢＷ）、スペクトラムエミッションマスク（Spectrum Emission Mask、ＳＥＭ）、変調精度（Error Vector Magnitude、ＥＶＭ）、スループット（Throughput）及び受信品質（Channel Quality Indicator、ＣＱＩ）などの統計値がある。
【００３６】
また、周波数などのドメインで２次元に表される試験結果データとして、ＯＢＷ、ＳＥＭ、隣接チャネル漏洩電力比（Adjacent Channel Leakage Ratio、ＡＣＬＲ）、帯域内発射（In-band Emission）、スペクトラム・フラットネス（Spectrum Flatness）、ＥＶＭ、位相誤差（Phase Error）、振幅誤差（Magnitude Error）及び信号空間（Constellation）などがある。
【００３７】
本実施の形態において、操作実行部２３は、２次元に表される試験結果データを表示した領域が選択された操作が操作検出部２２によって検出されると、該当する試験結果データを詳細に表すサブウインドウを表示制御部２４によって表示させるようになっている。
【００３８】
図３は、メインウインドウのＥＶＭの試験結果データが表示された領域が選択された場合に表示されるサブウインドウを示している。表示制御部２４は、第１ドメインとして周波数（サブキャリア）ドメイン及び第２ドメインとして時間ドメインで表す３次元のグラフで試験結果データを表す３次元表示画面４０、試験結果データを周波数ドメインのグラフで表す第１表示画面４１、及び、試験結果データを時間ドメインのグラフで表す第２表示画面４２を表示装置２１に表示させるようになっている。
【００３９】
図１に示したように、操作実行部２３は、周波数ドメイン上の位置を特定する第１マーカ４６を設定するとともに、時間ドメイン上の位置を特定する第２マーカ４７を設定するマーカ設定部３０を有している。
【００４０】
また、表示制御部２４は、マーカ設定部３０によって設定された第１マーカ４６及び第２マーカ４７によって定まるマーカ４５を３次元表示画面４０上の該当位置に表示させるようになっている。
【００４１】
また、表示制御部２４は、マーカ設定部３０によって設定された第１マーカ４６を第１表示画面４１上の該当位置に表示させるようになっている。同様に、表示制御部２４は、マーカ設定部３０によって設定された第２マーカ４７を第２表示画面４２上の該当位置に表示させるようになっている。
【００４２】
表示制御部２４は、第１表示画面４１には、第２マーカ４７によって特定された位置に対応する試験結果データのグラフを周波数ドメインで表示させ、第２表示画面４２には、第１マーカ４６によって特定された位置に対応する試験結果データのグラフを第２ドメインで表示させるようになっている。
【００４３】
したがって、入力装置２０によって第１表示画面４１に表示された第１マーカ４６が移動されると、移動後の第１マーカ４６の位置に対応する周波数の時間ドメインの試験結果データのグラフが第２表示画面４２に表示される。
【００４４】
同様に、入力装置２０によって第２表示画面４２に表示された第２マーカ４７が移動されると、移動後の第２マーカ４７の位置に対応する時間の周波数ドメインの試験結果データのグラフが第１表示画面４１に表示される。
【００４５】
図１に示したように、操作実行部２３は、周波数ドメインの範囲を設定する１次元範囲設定部３１を更に有している。図４に示すように、表示制御部２４は、第１マーカ４６によって特定された位置に対応する試験結果データのグラフを第２表示画面４２に表示させるとともに、１次元範囲設定部３１によって設定された範囲５０に対応する試験結果データの周波数ドメインの該当周波数帯における統計データのグラフを第２表示画面４２に更に表示させるようになっている。
【００４６】
本実施の形態において、表示制御部２４は、１次元範囲設定部３１によって設定された範囲５０に対応する試験結果データの該当周波数帯における統計データのグラフとして、該当周波数帯における最大値のグラフ５１及び最小値のグラフ５２を第２表示画面４２に表示するようになっている。
【００４７】
図１に示したように、操作実行部２３は、試験結果データの特徴点を検出する特徴点検出部３２を更に有している。マーカ設定部３０は、特徴点検出部３２によって検出された特徴点に対応する位置に第１マーカ４６及び第２マーカ４７を設定するようになっている。
【００４８】
具体的には、特徴点検出部３２は、試験結果データの特徴点としてピークを検出するようになっている。したがって、サブウインドウ内に表示されたピーク（Peak）ボタン５１（図３参照）が操作されることにより、特徴点検出部３２は、図５に示すように、試験結果データのなかでＥＶＭが最も悪化している位置に第１マーカ４６及び第２マーカ４７を設定するようになっている。
【００４９】
図１に示したように、操作実行部２３は、第１ドメインの範囲及び第２ドメインの範囲を設定させる２次元範囲設定部３３を更に有している。本実施の形態において、サブウインドウ内に表示されたレンジ（Range）ボタン５２（図３参照）が操作されると、表示制御部２４は、図６に示すような２次元範囲設定ウインドウを表示装置２１に表示させるようになっている。
【００５０】
２次元範囲設定ウインドウは、ＬＴＥにおけるリソースエレメントの構成を表す格子と、第１マーカ４６及び第２マーカ４７にそれぞれ対応する帯６０、６１とを表す。なお、図６においては、リソースエレメントの数が少なく図示されている。
【００５１】
図６に示した２次元範囲設定ウインドウにおいて、入力装置２０を介して２つのポイント６２、６３が指定されたことが操作検出部２２によって検出されると、２次元範囲設定部３３は、指定された周波数帯と時間帯とを特定し、特徴点検出部３２は、２次元範囲設定部３３によって特定された周波数帯と時間帯とに対応する領域６４の試験結果データのなかから特徴点（例えば、前述した「ピーク」）を検出するようになっている。また、マーカ設定部３０は、特徴点検出部３２によって検出された特徴点に対応する位置に第１マーカ４６及び第２マーカ４７を設定するようになっている。
【００５２】
以上に説明したように、本実施の形態は、移動端末２の試験の結果を表す試験結果データを第１ドメイン及び第２ドメインの３次元のグラフで表す３次元表示画面４０、試験結果データを第１ドメインのグラフで表す第１表示画面４１、及び、試験結果データを第２ドメインのグラフで表す第２表示画面４２を表示装置２１に表示させる。
【００５３】
さらに、本実施の形態は、第１表示画面４１には、第２マーカ４７によって特定された位置に対応する試験結果データのグラフを第１ドメインで表示させ、第２表示画面４２には、第１マーカ４６によって特定された位置に対応する試験結果データのグラフを第２ドメインで表示させる。
【００５４】
したがって、本実施の形態は、移動端末２の試験結果を表す試験結果データが２つのドメインで表される場合に、各ドメインにおける試験結果データの変化をユーザに認識させやすくすることができる。
【００５５】
また、本実施の形態は、第１ドメインの範囲を設定し、設定した範囲に対応する試験結果データの第１ドメインにおける統計データのグラフを第２表示画面４２に更に表示させるため、第１ドメインの設定範囲における第２ドメインの統計的な特性をユーザ認識させることができる。
【００５６】
また、本実施の形態は、試験結果データの特徴点を検出し、検出した特徴点に対応する位置に第１マーカ４６及び第２マーカ４７を設定するため、第１ドメイン及び第２ドメインの表示位置を連動させながら試験結果データにおけるピークなどの特徴点をユーザに探索させる手間をかけさせることなく、特徴点を含むグラフを第１表示画面４１及び第２表示画面４２に表示させることができる。
【００５７】
また、本実施の形態は、第１ドメインの範囲及び第２ドメインの範囲を設定し、設定した範囲のなかで特徴点を検出し、検出した特徴点に対応する位置に第１マーカ４６及び第２マーカ４７を設定するため、第１ドメイン及び第２ドメインの表示位置を連動させながら試験結果データにおけるピークなどの特徴点をユーザに探索させる手間をかけさせることなく、設定範囲内の特徴点を含むグラフを第１表示画面４１及び第２表示画面４２に表示させることができる。
【００５８】
また、本実施の形態は、第２ドメインを時間ドメインとすることにより、第１ドメインにおける試験結果データの時間経過に応じた変化をユーザに認識させやすくすることができる。
【００５９】
なお、本実施の形態において、図３に示したメインウインドウの３次元表示画面４０、第１表示画面４１及び第２表示画面４２における各ドメインにおける表示範囲、拡大、縮小及び解像度の設定については、公知のインタフェースを設けることにより任意に変更することができる。
【００６０】
本実施の形態において、図６に示した２次元範囲設定ウインドウは、図３に示したメインウインドウの３次元表示画面４０、第１表示画面４１及び第２表示画面４２における表示範囲を指定するためのウインドウとして適用することもできる。
【００６１】
また、本実施の形態は、図４に示したように、第１表示画面４１における設定範囲に対応する該当周波数帯における統計データを第２表示画面４２に表示させるものとして説明した。
【００６２】
これに対し、本実施の形態は、第２表示画面４２における設定範囲に対応する該当時間帯における統計データを第１表示画面４１に表示させるようにしてもよい。
【００６３】
また、本実施の形態における移動端末試験方法は、移動端末試験装置１によって、移動端末２の試験を実行するための試験情報に基づいて移動端末２の試験を実行する移動端末試験方法であって、移動端末２の試験の結果を表す試験結果データを第１ドメインとして周波数ドメイン及び第２ドメインとして時間ドメインの３次元のグラフで表す３次元表示画面４０、試験結果データを周波数ドメインのグラフで表す第１表示画面４１、及び、試験結果データを時間ドメインのグラフで表す第２表示画面４２を表示装置２１に表示させる表示制御ステップと、周波数ドメイン上の位置を特定する第１マーカ４６を設定するとともに、時間ドメイン上の位置を特定する第２マーカ４７を設定するマーカ設定ステップと、を有する。
【００６４】
そして、表示制御ステップでは、第１表示画面４１には、第２マーカ４７によって特定された位置に対応する試験結果データを周波数ドメインで表示させ、第２表示画面４２には、第１マーカ４６によって特定された位置に対応する試験結果データを時間ドメインで表示させる。
【００６５】
以上、本発明の実施の形態を開示したが、当業者によっては本発明の範囲を逸脱することなく変更が加えられうることは明白である。すべてのこのような修正及び等価物が特許請求の範囲に記載された請求項に含まれることが意図されている。
【符号の説明】
【００６６】
１  移動端末試験装置
２  移動端末
１１  試験実行部
２１  表示装置
２４  表示制御部
３０  マーカ設定部
３１  １次元範囲設定部
３２  特徴点検出部
３３  ２次元範囲設定部
４０  ３次元表示画面
４１  第１表示画面
４２  第２表示画面
４６  第１マーカ
４７  第２マーカ
【図１】
2016116114.tif 000003
【図２】
2016116114.tif 000004
【図３】
2016116114.tif 000005
【図４】
2016116114.tif 000006
【図５】
2016116114.tif 000007
【図６】
2016116114.tif 000008